(57)【要約】【課題】誤差が少なく、製造しやすいラチェットドライバーを提供する。【解決手段】ラチェットドライバーの第一本体には第一本体を横方向に貫通する収納部が設けられ、その収納部が製造される場合、雄型の長い型芯を用いて雌型の型孔内に跨り置いて収納部を成型することができる。収納部は第一本体を貫通しているので、型芯の両端はともに鋳型に固定することができ、しっかりかつ確実に型孔内に定位され、偏りまたは動きの発生がないので、第一本体の収納部は製造時に於いて誤差が発生しなくなり、収納部に対して第二次加工を行う必要がなくなる。【選択図】  図２
2007283484.tif 000002
【特許請求の範囲】
【請求項１】
第一本体と、第二本体と、
二つの嵌め止め部材と、向き切り替えとからなり、
第一本体には第一端及び第二端が備えられ、第一本体の第一端は握り柄との結合に用いられ、第一本体の第二端には第一本体を横方向に貫通する収納部が設けられてあり、
第二本体には第一端及び第二端が備えられ、第二本体の第一端には収納空間が設けられ、収納空間の内環にはギアが設けられ、第二本体の第一端は第一本体の第二端に可動に設けられ、第二本体の第二端は工具との結合に用いられ、
二つの嵌め止め部材はスライド可能に収納部の両開放端に設けられ、二つの嵌め止め部材の一端には嵌め部が設けられ、かつ二つの嵌め止め部材の相対する他の一端間にはスプリングが設けられてあり、
向き切り替えは回転可能に第一本体に設けられ、向き切り替えは選択可能に嵌め止め部材を押し当たり、嵌め止め部材の嵌め部を第二本体のギアから離れさせて第一本体と第二本体間の相対回転関係を制限することを特徴とするラチェットドライバー。
【請求項２】
前記第一本体の一端には握り柄の脱出を防止する止め具が設けられてあるものを特徴とする請求項１記載のラチェットドライバー。
【請求項３】
前記第一本体の第二端には凹環溝が設けられ、第二本体の収納空間内には凹環溝が設けられ、C型スナップリングを用いて二つの凹環溝間に嵌め付け、第二本体の第一端が第一本体の第二端に枢設されるようにすることを特徴とする請求項１記載のラチェットドライバー。
【請求項４】
前記第一本体には定位装置の収納に供される孔が設けられ、前記向き切り替えの内縁には定位装置の嵌め込み定位に供される嵌め溝が設けられてあることを特徴とする請求項１記載のラチェットドライバー。
【請求項５】
前記定位装置にはスチールボール及びスプリングが備えられてあることを特徴とする請求項４記載のラチェットドライバー。
【請求項６】
前記第一本体には凹陥部が設けられ、前記向き切り替えの内縁には突起が設けられ、突起は凹陥部の両側に当て付けて向き切り替えが回転し過ぎることを防止することを特徴とする請求項１記載のラチェットドライバー。
【請求項７】
前記第二本体の第二端には工具の差込に供される嵌め溝が設けられてあることを特徴とする請求項１記載のラチェットドライバー。
【請求項８】
前記二つの嵌め止め部材の一端には突起が設けられ、前記向き切り替えの内縁には二つの制御溝が設けられ、制御溝は嵌め止め部材の突起を押し当てて嵌め止め部材の嵌め部を第二本体のギアから離れさせることを特徴とする請求項１記載のラチェットドライバー。
【請求項９】
前記二つの嵌め止め部材の他の一端には位置限定部が設けられ、前記二つの嵌め止め部材の二つの位置限定部間にはスプリングが設けられてあることを特徴とする請求項８記載のラチェットドライバー。
【発明の詳細な説明】
【技術分野】
【０００１】
本発明はラチェットドライバーに関するもので、特に誤差を減らすことができ、かつ製造しやすいラチェットドライバーを指したものである。
【背景技術】
【０００２】
従来のラチェットドライバーとしては、アメリカ合衆国特許第6047802号「RATCHET  DRIVING  MECHANISM」に開示されるものがある。その枢接台1の一側には二つ外側へ透かした挿し溝15が備えられ、前記二つの挿し溝15にはそれぞれ止め具16が挿入され、その二つの止め具16はそれぞれ挿し溝15内に設けられてあるスプリング17に外へ押し付けられて結合体3の歯部に嵌め付けられる。ところが前記枢接台1の二つの挿し溝15を製造する場合、二本の長い鋳芯を型孔の中に差し込んで前記二つの挿し溝15を成型しなければならない。前記二つの挿し溝15は枢接台1を貫通していないので、前記二本の鋳芯の一端は型孔内で宙に浮き、金属溶液が射出するときは高温高圧が発生して前記二本の鋳芯は偏りまたは動きやすく、そのために枢接台1の二つの挿し溝15は製造時に誤差が発生しやすくなる。前記二つの挿し溝15に第二次加工を行わなければ、挿し溝15内に設けられてある止め具16は順調に作動しなくなり、止め具16は引っかかって故障しやすくなる。
【発明の開示】
【０００３】
本発明はラチェットドライバーに関し、そのラチェットドライバーの第一本体には第一本体を横方向に貫通する収納部が設けられ、前記収納部は製造時に於いて、雄型の長い型芯を用いて雌型の型孔内に跨り置いて収納部を成型するが、前記収納部は第一本体を貫通しているので、型芯の両端はともに鋳型に嵌め付けられ、しっかりかつ確実に型孔内に定位することができ、偏りまたは動きが発生しないので、第一本体の収納部は製造時に於いて誤差が発生しなくなり、収納部に対して第二次加工を行う必要がない。
【発明を実施するための最良の形態】
【０００４】
図１及び図２を参照する。本発明の第一実施例により、そのラチェットドライバー10は第一本体20、第二本体30、二つの止め具40及び向き切り替え50を含む。前記第二本体30は回転可能に第一本体20の一端に設けられ、前記二つの止め具40はスライド可能に第一本体20に設けられ、かつ第一本体20の外縁に枢設される向き切り替え50に制御されて選択可能に第二本体30の回転を制限する。
【０００５】
前記第一本体20には第一端21及び第二端22が含まれ、第一本体20の第一端21は握り柄60との結合に用いられ、第一端21には握り柄60の脱落を防止する嵌め具23が設けられてある。第一本体20の第二端22には第一本体20を横方向に貫通する収納部24及び凹環溝25が設けられてある。前記第一本体20には更に孔26及び凹陥部27が設けられ、孔26は定位装置28の設置に供され、定位装置28はスチールボール281及びスプリング282を含む。
【０００６】
注意に値することは、第一本体20を横方向に貫通する前記収納部24が製造される場合、長い型芯を用いて型孔内に跨り置いて収納部24を成型することができる。前記収納部24は第一本体20を貫通しているので、型芯の両端はともに鋳型に固定することができ、しっかりかつ確実に型孔内に定位され、偏りまたは動きの発生がないので、第一本体20の収納部24は製造時に於いて誤差が発生しなくなり、収納部24に対して第二次加工を行う必要がなく、相当に実用的である。
【０００７】
前記第二本体30には第一端31及び第二端32が含まれ、第二本体30の第一端31には第一本体20の第二端22に取り付けられる収納空間33が設けられ、前記収納空間33の内環にはギア34及び凹環溝35が設けられてある。第二本体30の第二端32には工具の差置きに供される嵌め溝36が設けられてある。また図３に示すように、C型スナップリング29を用いて第一本体20の凹環溝25と第二本体30の凹環溝35の間に嵌め付ければ、第二本体30の第一端31を第一本体20の第二端22に取り付けることができる。
【０００８】
前記二つの嵌め止め部材40はスライド可能に収納部24の両開放端に設けられ、二つの嵌め止め部材40の一端には第二本体30のギア34に噛み合わせる嵌め部41及び突起42が設けられ、前記二つの嵌め止め部材40の他の一端には位置限定部43が設けられ、二つの嵌め止め部材40の位置限定部43間にはスプリング44が設けられてある。
【０００９】
前記向き切り替え50は回転可能に第一本体20に設けられ、向き切り替え50の内縁には前記凹陥部27に対応する突起51と、前記定位装置28に対応する三つの嵌め溝52、53、54と、嵌め止め部材40の突起42に対応する二つの制御溝55、56が設けられてある。
【００１０】
図４は前記向き切り替え50が第一位置にある場合、前記定位装置28のスチールボール281は向き切り替え50の嵌め溝54内に嵌め込んでいることを示す。前記向き切り替え50の一つの制御溝56は一つの嵌め止め部材40から離脱し、前記嵌め止め部材40を収納部24内に押し込み、嵌め止め部材40の嵌め部41は第二本体30のギア34に噛み合わすことができない。また図５に示すように、前記向き切り替え50の別の制御溝55は別の嵌め止め部材40の突起42を押し当てていないので、別の嵌め止め部材40の嵌め部41は第二本体30のギア34に噛み合わせ、この場合、第一本体20は第二本体30に相対して時計針方向の空回転を行うことができる。図６に示すように、前記向き切り替え50が第一位置にある場合、向き切り替え50の突起51は第一本体20の凹陥部27の一側に当て付け、向き切り替え50の回り過ぎを防止する。
【００１１】
図７は前記向き切り替え50が第二位置にある場合、前記定位装置28のスチールボール281は向き切り替え50の嵌め溝53内に嵌め込み、向き切り替え50の二つの制御溝55、56はともに嵌め止め部材40の突起42に押し当てていることを示す。また図８に示すように、前記二つの嵌め止め部材40の嵌め部41は同時に第二本体30のギア34に噛み合わせ、この場合、第一本体20は第二本体30に相対した回転関係を発生することができない。図９に示すように、前記向き切り替え50が第二位置にある場合、前記向き切り替え50の突起51は第一本体20の凹陥部27の中間に位置する。
【００１２】
図１０は向き切り替え50が第三位置にある場合、前記定位装置28のスチールボール281は向き切り替え50の嵌め溝52内に嵌め込んでいることを示す。向き切り替え50の制御溝55は嵌め止め部材40から離脱し、前記嵌め止め部材40を収納部24内に押し込み、嵌め止め部材40の嵌め部41は第二本体30のギア34に噛み合わすことができない。また図１１に示すように、前記向き切り替え50の別の制御溝56は別の嵌め止め部材40の突起42に押し当っていないので、嵌め止め部材40の嵌め部41は第二本体30のギア34に噛み合わせ、この場合、前記第一本体20は第二本体30に相対して反時計針方向の空回転を行う。図１２に示すように、前記向き切り替え50が第一位置にある場合、向き切り替え50の突起51は第一本体20の凹陥部27の別の一側に当て付け、向き切り替え50の回り過ぎを防止する。
【図面の簡単な説明】
【００１３】
【図１】本発明の立体図である。
【図２】本発明の立体分解図である。
【図３】本発明の側面断面図である。
【図４】図３の４−４断面線に沿って取った断面図であり、向き切り替えが第一位置にあることを示す。
【図５】図３の５−５断面線に沿って取った断面図であり、嵌め止め部材が第二本体のギアに噛み合っていることを示す。
【図６】図３の６−６断面線に沿って取った断面図であり、向き切り替えの突起が第一本体の凹陥部の一側に当て付いていることを示す。
【図７】図４の延長継続であり、向き切り替えが第二位置にあることを示す。
【図８】図５の延長継続であり、二つの嵌め止め部材がすべて第二本体のギアに噛み合っていることを示す。
【図９】図６の延長継続であり、向き切り替えの突起が第一本体の凹陥部の中間に位置することを示す。
【図１０】図７の延長継続であり、向き切り替えが第三位置にあることを示す。
【図１１】図８の延長継続であり、別の嵌め止め部材が第二本体のギアに噛み合っていることを示す。
【図１２】図９の延長継続であり、向き切り替えの突起が第一本体の凹陥部の別の一側に当て付いていることを示す。
【符号の説明】
【００１４】
10    ラチェットドライバー
20    第一本体
21    第一端
22    第二端
23    止め具
24    収納部
25    凹環溝
26    孔
27    凹陥部
28    定位装置
281    スチールボール
282    スプリング
29    C型スナップリング
30    第二本体
31    第一端
32    第二端
33    収納空間
34    ギア
35    凹環溝
36    嵌め溝
40    嵌め止め部材
41    嵌め部
42    突起
43    位置限定部
44    スプリング
50    向き切り替え
51    突起
52    嵌め溝
53    嵌め溝
54    嵌め溝
55    制御溝
56    制御溝
60    握り柄
【図１】
2007283484.tif 000003
【図２】
2007283484.tif 000004
【図３】
2007283484.tif 000005
【図４】
2007283484.tif 000006
【図５】
2007283484.tif 000007
【図６】
2007283484.tif 000008
【図７】
2007283484.tif 000009
【図８】
2007283484.tif 000010
【図９】
2007283484.tif 000011
【図１０】
2007283484.tif 000012
【図１１】
2007283484.tif 000013
【図１２】
2007283484.tif 000014